(57)【特許請求の範囲】
【請求項１】
前面開口の箱型を呈するケース本体と前記開口を覆うカバーとからなり配線器具取付枠の開口部における互いに対向する開口端縁に沿って設けられた弾性を有する一対の係止部に着脱自在に係止する係合突起を互いに対向する側面に突設したケース内に、スイッチ素子、発光素子が搭載されているプリント基板が配置されているとともに、前記カバーに前記スイッチ素子の操作部に連結した操作釦の挿通孔ならびに発光素子の露出孔である挿通孔が形成され、且つ前記プリント基板に配置されているスイッチ素子または発光素子に接続するコネクタまたは弱電用の連結端子台が前記ケース本体の裏面にそれぞれ露出していることを特徴とする設備機器用配線器具。
【請求項２】
前記ケースの前記係合突起が突設されていない側面に、前記配線器具取付枠の互いに対向する開口端縁に突設した取付ねじ挿通部片に対応する凹溝がそれぞれ形成されているとともに前記配線器具素子の搭載箇所が平面×形に並設されている請求項１記載の設備機器用配線器具。
【請求項３】
前記カバーから突出する前記スイッチ素子の操作部に連結した操作釦の上部には化粧釦が装着されており、この化粧釦は前記操作釦の周壁と化粧釦の内周壁とに設けられた凹凸嵌合手段により装着されている請求項１または２のいずれかに記載の設備機器用配線器具。
【発明の詳細な説明】
【０００１】
【発明の属する技術分野】
本発明は電気的に自動制御されるシャッターやブラインドなどの設備機器用の配線器具に関するものである。
【０００２】
【従来の技術】
従来、建築構造材における壁構造にコンセント、或いは照明や換気扇のスイッチなどの配線器具が配置されている。
【０００３】
そして、近頃は、従来の照明や換気扇などの電気機器だけでなく電気的に自動制御されるシャッターやブラインドなどの設備機器の設置が進み、設備機器より弱電線を介して制御信号を受け取り設備機器を制御する配線器具が必要とされている。
【０００４】
設備機器用配線器具は設備機器の電源をＯＮ，ＯＦＦ制御するだけでなく回転や走行を伴う開閉操作などを含めた複数種類の制御をするため、複数のスイッチ素子や発光素子などの配線器具素子を配置する必要がある。
【０００５】
そのため、従来の設備機器用配線器具は各種の設備機器に応じた専用のものが殆どであり、同一室内に設置された複数の設備機器を制御するためにもそれぞれの設備機器に応じたものが用いられている。
【０００６】
従って、多数種類の配線器具を揃えることが必要であり、従来のコンセント、或いは照明や換気扇のスイッチなど１００Ｖまたは２００Ｖの定格電圧を有する強電線が接続される配線器具のように配線器具取付枠などの部品の共通化がされておらず、また、照明や換気扇のスイッチなどのように１００Ｖまたは２００Ｖの定格電圧を有する強電線が接続されて電源をＯＮ，ＯＦＦ制御する配線器具とは別個に併設しなければならなかった。
【０００７】
【発明が解決しようとする課題】
本発明は前記の問題点を解決するためになされたものであり、共通の配線器具取付枠に取付可能であり、経済的であるとともに、壁面の美観にも優れ、更には従来の強電線が接続される配線器具と配線器具取付枠を共用することができる設備機器用配線器具に関するものである。
【０００８】
【課題を解決するための手段】
前記課題を解決するためになされた本発明である設備機器用配線器具は、前面開口の箱型を呈するケース本体と前記開口を覆うカバーとからなり配線器具取付枠の開口部における互いに対向する開口端縁に沿って設けられた弾性を有する一対の係止部に着脱自在に係止する係合突起を互いに対向する側面に突設したケース内に、スイッチ素子、発光素子が搭載されているプリント基板が配置されているとともに、前記カバーに前記スイッチ素子の操作部に連結した操作釦の挿通孔ならびに発光素子の露出孔である挿通孔が形成され、且つ前記プリント基板に配置されているスイッチ素子または発光素子に接続するコネクタまたは弱電用の連結端子台が前記ケース本体の裏面にそれぞれ露出していることを特徴とする。
【０００９】
また、前記発明において、ケースの前記係合突起が突設されていない側面に、前記配線器具取付枠の互いに対向する開口端に突設した取付ねじ挿通部片に対応する凹溝がそれぞれ形成されている構成とすることにより、配線器具取付枠の互いに対向する開口端縁に突設した取付ねじ挿通部片を回避して取り付けることが可能であり、配線器具取付枠における開口部の長さを短くすることができる。
【００１０】
更に、配線器具素子の搭載箇所を平面×形に並設することにより多数の配線器具素子を搭載することができる。
【００１１】
更にまた、前記発明において、前記カバーから突出する前記スイッチ素子の操作部に連結した操作釦の上部には化粧釦が装着されており、この化粧釦は前記操作釦の周壁と化粧釦の内周壁とに設けられた凹凸嵌合手段により装着されている構成とすることにより、化粧釦の着脱が容易となる。
【００１２】
【発明の実施の形態】
次に、本発明の実施の形態について説明する。
【００１３】
図１乃至図７は本発明の好ましい実施の形態をその使用例とともに示したものであり、例えば３種類の設備機器用配線器具１，２，３を配線器具取付枠４に取り付ける場合を示したものである。
【００１４】
各設備機器用配線器具１，２，３は図１に示すように、同一形状の前面開口の箱型を呈するケース本体５と前記開口を覆うカバー６とからなるケース７内に、スイッチ素子、発光素子などの配線器具素子８が搭載されているプリント基板９が配置されている。
【００１５】
カバー６にはスイッチ素子である配線器具素子８の操作部に連結した操作釦１０の挿通孔ならびに発光素子である配線器具素子８の露出孔である挿通孔１０１が形成され、且つケース本体５の裏面に配線器具素子８に接続するためのコネクタ１０２または弱電用の速結端子台１０２ａがプリント基板９に配置されている。
【００１６】
更に、各設備機器用配線器具１，２，３は、それぞれ同一の取付幅Ｗ１を有しており、この取付幅Ｗ１方向に配置される互いに対向する側面１１，２１，３１に取付枠４に係止するための係合突起１２，２２，３２がそれぞれ突設されている。
【００１７】
これらの係合突起１２，２２，３２はそれぞれ所定位置に形成されており、形成位置はピッチＰ１となっている。
【００１８】
また、各設備機器用配線器具１，２，３が取り付けられる配線器具取付枠４は硬質合成樹脂により横方向へ延びる矩形状に形成され、縦方向に設備機器用配線器具１，２，３の取付幅Ｗ１とほぼ同じ縦幅Ｗ２を有するとともに、設備機器用配線器具１，２または３を３個並列させた横幅とほぼ同じ横幅Ｗ３の開口部４１を有しており、開口部４１における横方向へ延びる開口端縁４２，４２に沿って前記配線器具１，２，３の係合突起１２，２２，３２が着脱自在に係止する弾性を有する係止部４３，４４，４５が設けられている。
【００１９】
これらの係止部４３，４４，４５は同一の取付間隔を有して形成され、且つ配線器具取付枠４の各係止部４３，４４，４５が設備機器用配線器具１，２，３における係合突起１２，２２，３２のピッチＰ１と同一ピッチＰ１を有していることから、いずれの係止部４３，４４，４５もピッチＰ１の係合突起１２，２２，３２を有する設備機器用配線器具１，２，３の取り付けが可能となり、且つ一つの配線器具取付枠４に複数個の設備機器用配線器具１，２，３を任意の配列により取り付けることが可能とされている。
【００２０】
更に、前記各設備機器用配線器具１，２，３を構成するケース本体７の前記係合突起１２，２２，３２が突設されていない側面１３，２３，３３に、前記配線器具取付枠４の互いに対向する開口端縁４６，４６に突設した取付ねじ挿通部片４７に対応する凹溝７１がそれぞれ形成されているとともに前記配線器具素子８の搭載箇所が平面×形に並設されている。
【００２１】
更にまた、前記各スイッチ素子である配線器具素子８に装着された前記カバー６から突出する操作釦１０の上部に化粧釦１０４が装着されており、この化粧釦１０４は前記操作釦１０の周壁１０５に形成された環状溝１０６と化粧釦１０４の内周壁１０７に形成された環状突起１０８とからなる凹凸嵌合手段１０９により着脱自由に装着されている。
【００２２】
以上の構成を有する本実施の形態に示した各設備機器用配線器具１，２，３は、配線器具取付枠４の開口部４１内を隔壁１２０，１２０によって仕切ることにより形成される取付部１１１，１２１，１３１における弾性を有する係止部４３，４４，４５に前記係合突起１２，２２，３２を係止することによりそれぞれ取り付け、これを従来の強電線が接続される配線器具に用いられている取付ボックスや中空壁用の枠など（図示せず）を用いて壁面に取り付けることができる。
【００２３】
そして、各設備機器用配線器具１，２，３の各スイッチ素子である配線器具素子８に装着された操作釦１０の上部に凹凸嵌合手段１０９を用いて化粧釦１０４を取り付けるとともに、その表面に予め発光素子である配線器具素子８の透光カバー１１０を予め装着したプレートカバー１４０を取り付ける。
【００２４】
このプレートカバー１４０は本実施の形態では配線器具取付枠４の周端に沿って取り付けられるプレート枠１４４と、このプレート枠１４４の開口部１４５に配線器具取付枠４に取り付けられた設備機器用配線器具１，２，３にそれぞれ対応して嵌め込まれるプレートカバー１４１，１４２，１４３とからなり、開口部１４５の長さ方向へ延びる互いに対向する端縁１４６，１４６に形成された係止部１４７に各プレートカバー１４１，１４２，１４３の互いに対向する端縁１５１，１５２，１５３に突設された係止爪１６１，１６２，１６３を係止させて固定する。
【００２５】
以上のように本発明の実施の形態によれば、設備機器用配線器具１，２，３を従来の強電線を接続する配線器具と同様に使用することができ、殊に、各設備機器用配線器具１，２，３は、それぞれ同一の取付幅Ｗ１を有しているとともに配線器具取付枠４の係止部４３，４４，４５が設備機器用配線器具１，２，３における係合突起１２，２２，３２のピッチＰ１と同一ピッチＰ１を有し、いずれの係止部４３，４４，４５もピッチＰ１の係合突起１２，２２，３２を有する設備機器用配線器具１，２，３の取り付けが可能とされており一つの配線器具取付枠４に複数個の設備機器用配線器具１，２，３を任意の配列により取り付けることができるので取付作業が簡単で部品点数も少なくて済むため経済的であり、取り付け後の壁面の美観にも優れている。
【００２６】
また、前記各設備機器用配線器具１，２，３を構成するケース本体７の前記係合突起１２，２２，３２が突設されていない側面１３，２３，３３に、前記配線器具取付枠４の互いに対向する開口端縁４６，４６に突設した取付ねじ挿通部片４７に対応する凹溝７１がそれぞれ形成されている。そのため、配線器具取付枠４の開口部４１を設備機器用配線器具１，２または３を３個並列させた横幅とほぼ同じ横幅Ｗ３とすることが可能であり、その結果、配線器具取付枠４全体の横幅を短くすることができる。
【００２７】
ケース本体７の側面１３，２３，３３に凹溝７１を形成した結果、配線器具素子８の搭載箇所を平面×形に並設させることにより、多数の配線器具素子８を無駄なく搭載することができる。
【００２８】
また、図８は本発明の異なる使用例を示すものであり、本発明である設備機器用配線器具１，２，３を取り付ける配線器具取付枠４が異なり、係止部４３，４４，４５が設備機器用配線器具１，２，３における係合突起１２，２２，３２のピッチＰ１だけでなく、従来の強電線が接続される配線器具１７０の係合突起１７１のピッチＰ２とも同一のピッチＰ２を有し、いずれの係止部４３，４４，４５にも設備機器用配線器具１，２，３または従来の強電線が接続される配線器具１７０が取付可能であり、一つの配線器具取付枠４に設備機器用配線器具１，２，３と従来の強電線が接続される配線器具１７０とを一緒に取り付けることができる。
【００２９】
【発明の効果】
以上のように本発明によれば、他種類にわたる設備機器用配線器具を共通の配線器具取付枠に取付可能とすることにより製造価格の低減を図るとともに、複数種類のものを壁面に設置する場合にも取付作業が簡単で且つ壁面の美観にも優れている。
【００３０】
また、従来の強電線が接続される配線器具と配線器具取付枠を共用することができることから更に便利で取付作業ならびに壁面の美観の点でも優れている。
【００３１】
更に、ケースの前記係合突起が突設されていない側面に、前記配線器具取付枠の互いに対向する開口端に突設した取付ねじ挿通部片に対応する凹溝がそれぞれ形成されている構成した場合には、配線器具取付枠の互いに対向する開口端に突設した取付ねじ挿通部片を回避して取り付けることが可能であり、配線器具取付枠における開口部の長さを短くすることができ、また、配線器具素子の搭載箇所を平面×形に並設することにより多数の配線器具素子を搭載することができる。
【００３２】
更にまた、前記発明において、前記カバーから突出する前記スイッチ素子の操作部に連結した操作釦の上部には化粧釦が装着されており、この化粧釦は前記操作釦の周壁と化粧釦の内周壁とに設けられた凹凸嵌合手段により装着されている構成とすることにより、化粧釦の着脱が容易となる。
【図面の簡単な説明】
【図１】本発明の好ましい実施の形態の一つを示す分解した状態を示す斜視図。
【図２】図１に示した実施の形態を一つの使用例とともに示す分解した状態を示す斜視図。
【図３】図１に示した実施の形態を配線器具取付枠とともに示した平面図。
【図４】図１に示した実施の形態の底面図。
【図５】図１に示した実施の形態を配線器具取付枠に取り付けた状態の平面図。
【図６】図５の縦断面図。
【図７】図１に示した実施の形態の使用状態における縦断面図。
【図８】図１に示した実施の形態における異なる使様状態を示す平面図。
【符号の説明】
１，２，３：設備機器用配線器具  ４：配線器具取付枠  ５：ケース本体  ６：カバー  ７：ケース  ８：配線器具素子  ９：プリント基板  ４６：開口端縁４７：取付ねじ孔挿通部片  １０：操作釦  １０１：挿通孔  １０２：コネクタ  １０２ａ：速結端子台  １０４：化粧釦  １０９：凹凸嵌合手段
【図１】
0003901819.tif 000002
【図２】
0003901819.tif 000003
【図３】
0003901819.tif 000004
【図４】
0003901819.tif 000005
【図５】
0003901819.tif 000006
【図６】
0003901819.tif 000007
【図７】
0003901819.tif 000008
【図８】
0003901819.tif 000009